(57)【要約】【課題】  天候や場所や海流の有無や海流の強さなどの条件に左右されることなく、ウニなどの藻食動物の藻礁への侵入を完全に阻止することを可能とする藻場造成礁を提供することを目的としている。【解決手段】  海藻を育成するための藻場造成礁に、海藻を餌とする藻食動物が侵入するのを防止する藻食動物の藻場造成礁侵入防止方法であって、とりついた藻食動物の重量により沈む浮体を前記藻場造成礁３の周りに予め多数配置し、藻食動物がとりついた浮体４は、当該藻食動物とともに沈み、前記沈んだ浮体４のうち藻食動物が離れた浮体４は前記藻場造成礁３の周りへ戻るようにする。【選択図】図１
2006109727.tif 000002
【特許請求の範囲】
【請求項１】
海藻を育成するための藻場造成礁に、ウニや巻貝等の海藻を餌とする藻食動物が侵入するのを防止する藻食動物の藻場造成礁侵入防止方法であって、
とりついた藻食動物の重量により沈む浮体を前記藻場造成礁の周りに予め多数配置し、藻食動物がとりついた前記浮体は、当該藻食動物とともに沈み、
前記沈んだ浮体のうち藻食動物が離れた浮体は前記藻場造成礁の周りへ戻ること
を特徴とする藻食動物の藻場造成礁侵入防止方法。
【請求項２】
海底に配置された囲い体と、
前記囲い体の周囲において浮体を多数配置させた浮体配置部とが設けられてなり、
前記浮体にウニや巻貝などの海藻を餌とする藻食動物がとりつくと、前記浮体にとりついた藻食動物が該浮体とともに沈むことを特徴とする海藻育成囲い。
【請求項３】
前記囲い体により囲まれた領域には、海藻を育成するための藻場造成礁が形成されてなることを特徴とする請求項２記載の海藻育成囲い。
【請求項４】
浮体は、該浮体に通された棒体や張られたワイヤなどの支持案内部材により沈み浮き移動可能に支持され、藻食動物が前記浮体にとりつくと前記支持案内部材に支持されながら沈み、藻食動物が離れると、自らの浮力により前記支持案内部材により支持案内されて浮き上がり、浮体配置部に戻るようにしてなることを特徴とする請求項２又は３記載の海藻育成囲い。
【請求項５】
浮体は、紐体で繋がれて配置されてなることを特徴とする請求項２〜４の何れか１項記載の海藻育成囲い。
【請求項６】
浮体は、鋼製、生分解性プラスチック、木製などの経時で劣化等でなくなる物で形成されてなることを特徴とする請求項２〜５の何れか１項記載の海藻育成囲い。
【請求項７】
浮体を配置する浮体配置部が藻場造成礁本体の外壁に設けられてなることを特徴とする請求項２〜６の何れか１項記載の海藻育成囲い。
【請求項８】
前記囲い体の底面から上方に向って延伸された流れ藻捕捉用棒体をさらに備え、
前記海藻捕捉用棒体は、前記囲い体の上面に形成された開口領域からその先端を突出させてなることを特徴とする請求項２〜７の何れか１項記載の海藻育成囲い。
【請求項９】
前記囲い体の内部には、石材やコンクリートブロック等のブロック材が充填されてなることを特徴とする請求項２〜８の何れか１項記載の海藻育成囲い。
【請求項１０】
少なくとも前記囲い体並びに前記浮体配置部は移動可能であること
を特徴とする請求項２〜９の何れか１項記載の海藻育成囲いを含む藻場造成礁。
【発明の詳細な説明】
【技術分野】
【０００１】
本発明は、藻食動物の藻場造成礁侵入防止方法、海藻育成囲いに関する。
【背景技術】
【０００２】
従来、下記「特許文献１」「特許文献２」「特許文献３」に次のような技術が開示されている。
【０００３】
（１）「特許文献１」
コンクリート製の階段壁で藻礁を囲い、該階段壁の垂直面により該垂直面に上ったウニや巻貝などが自重や海流の作用で登れず落ちて、藻食動物が藻礁内に侵入するのが防止される技術が開示されている。
【０００４】
（２）「特許文献２」
藻礁を藻食動物が侵入できないネットで完全に覆い囲う技術が開示されている。
【０００５】
（３）「特許文献３」
人工葉状海藻をチェーンに配列し、この人工葉状海藻で藻礁を囲い、人工海藻の海流の揺れ動き動作というウニ類が嫌う動きによりウニ類を撃退し藻礁への侵入を防止する技術が開示されている。
【特許文献１】特開２００１−２９９１２８（人工藻礁）
【特許文献２】特開平１１−１３７１１８（藻場・海中林造成増殖場造成礁）
【特許文献３】特開平１０−４８１７（人工海藻とその使用方法）
【発明の開示】
【発明が解決しようとする課題】
【０００６】
昆布などの海藻が成長していない段階ではウニ、巻貝、アワビなどの藻食動物を藻礁から排除して、海藻の育成を図ることが必要である。
【０００７】
また、アワビ育成礁において、餌を同じにするウニの存在は、アワビ育成の障害となる。特に、海藻が大きな葉状に成長していない段階では、ウニが侵入して食べ尽くしてしまい、アワビの稚貝の餌がなくなりその育成が妨げられる。
【０００８】
しかるに、海藻はある程度に大きくなると海流の流れに揺られるようになる。ウニはこの揺れる海藻に棘の間にある何百本もの吸盤機能の管足でよじ登るのであるが、その付着力は数ｋｇにもなり、海藻のその程度の揺れでは落ちないが、ウニの口が付着面の中央にあるために、いざ海藻を食べるときには大半の管足を海藻から外すので、その状態となったとき海藻の揺れでウニは振り落とされてしまう。
【０００９】
ウニ類は、海藻が約０.４ｍ／ｓ以上の流速振幅になると、前記理由により振り落とされるので葉状の海藻を食べることができなくなり、流速が低下しない限りウニは再付着することができない。
【００１０】
したがって、海藻がウニを振り落とす揺れを得られる程度の大きな葉状に成長するまでは、海藻を育成する藻礁にウニが侵入しないようにして、アワビが海藻の成長までは、捕捉した流れ藻を餌としながら海藻を大きな葉状へと育成する必要がある。
【００１１】
上述した従来技術は次に述べるような問題を有している。
【００１２】
（１）「特許文献１」に開示されている技術は、垂直壁によりウニの登りを阻止しようとするものであるが、数ｋｇにおよぶウニの管足の付着力はウニ返しなどの天井をも楽に移動できるものであり、多くのウニの侵入を許してしまうという問題を有するものであった。
【００１３】
（２）「特許文献２」に開示されている技術は、海流を受ける面積、体積が大きくなるため海流抵抗が大きく、荒波や強い流速によりネットが破壊され易く、最悪ネット覆い全部が流出してしまうという問題を有するものであった。
【００１４】
（３）「特許文献３」に開示されている技術は、波の力の弱いと場合や、凪の場合などで海流の流れが殆どない場合などは、人工海藻は揺れずウニの侵入を許してしまうという問題を有するものであった。
【００１５】
本発明は以上述べたような従来技術の問題に鑑みてなされたものであって、その目的は、天候や場所や海流の有無や海流の強さなどの条件に左右されることなく、ウニなどの藻食動物の藻礁への侵入を完全に阻止することを可能とする藻食動物の藻食造成礁侵入防止方法、海藻育成囲いを提供することを目的としている。
【課題を解決するための手段】
【００１６】
上記目的を達成するために、本発明は以下に述べるような構成となっている。
【００１７】
＜請求項１記載の発明＞
海藻を育成するための藻場造成礁に、ウニや巻貝等の海藻を餌とする藻食動物が侵入するのを防止する藻食動物の藻場造成礁侵入防止方法であって、とりついた藻食動物の重量により沈む浮体を前記藻場造成礁の周りに予め多数配置し、藻食動物がとりついた前記浮体は、当該藻食動物とともに沈み、前記沈んだ浮体のうち藻食動物が離れた浮体は前記藻場造成礁の周りへ戻る藻食動物の藻場造成礁侵入防止方法を構成している。
【００１８】
浮体の形態は、球体、多角体、円柱体、変形体など多様な形態を用いることができ、相違する形態の浮体の混合による場合もあるし、その大きさも例えば、球体であるならピンポン球くらいからソフトボール位の大きさ程度が適当と考えられる。また、浮体の比重も１．０２以下で０．９以上が望ましい。これより大きいと海水の比重１．０２より大きくなり沈んでしまうし、これより小さいと、藻食動物が取り付いた際に、沈むことなく浮いているので目的の効果を果たさない。
【００１９】
しかし、本発明は上記に限定されるものではなく、本発明の要旨を逸脱しない範囲において、種々なる態様で実施することができる。
【００２０】
＜請求項２記載の発明＞
海底に配置された囲い体と、前記囲い体の周囲において浮体を多数配置させた浮体配置部とが設けられてなり、前記浮体にウニや巻貝などの海藻を餌とする藻食動物がとりつくと、前記浮体にとりついた藻食動物が該浮体とともに沈む海藻育成囲いを構成している。
【００２１】
＜請求項３記載の発明＞
請求項２記載の発明の構成において、前記囲い体により囲まれた領域には、海藻を育成するための藻場造成礁が形成されてなる海藻育成囲いを構成している。
【００２２】
＜請求項４記載の発明＞
請求項２又は３記載の発明の構成において、浮体は、該浮体に通された棒体や張られたワイヤなどの支持案内部材により沈み浮き移動可能に支持され、藻食動物が前記浮体にとりつくと前記支持案内部材に支持されながら沈み、藻食動物が離れると、自らの浮力により前記支持案内部材により支持案内されて浮き上がり、浮体配置部に戻るようにしてなる海藻育成囲いを構成している。
【００２３】
支持案内部材の形態は、海底から浮体配置部に渡り張った形態、浮き配置部から中途まで下げた形態などいろいろな形態がある。
【００２４】
＜請求項５記載の発明＞
請求項２〜４の何れか１項記載の発明の構成において、浮体は、紐体で繋がれて配置されてなる海藻育成囲いを構成している。
【００２５】
紐体で浮体を繋ぐ形態は、浮体を繋いだ紐を浮体配置部の天井に繋ぐ、側壁に繋ぐ、下方に繋ぎ浮かす等多様な形態がある。また、浮体の沈む終点については、海底、中途、囲い体から突き出させた部位など多様な形態がある。
【００２６】
＜請求項６記載の発明＞
請求項２〜５の何れか１項記載の発明の構成において、浮体は、鋼製、生分解性プラスチック、木製などの経時で劣化等でなくなる物で形成されてなる海藻育成囲いを構成している。
【００２７】
＜請求項７記載の発明＞
請求項２〜６の何れか１項記載の発明の構成において、浮体を配置する浮体配置部が藻場造成礁本体の外壁に設けられてなる海藻育成囲いを構成している。
【００２８】
多くの場合、浮体配置部までの藻場造成礁本体の壁をメッシュなどで被う必要があるが、経時錆びて消滅して行く鋼製の金網がよい。
【００２９】
＜請求項８記載の発明＞
請求項２〜７の何れか１項記載の発明の構成において、前記囲い体の底面から上方に向って延伸された流れ藻捕捉用棒体をさらに備え、前記海藻捕捉用棒体は、前記囲い体の上面に形成された開口領域からその先端を突出させてなる海藻育成囲いを構成している。
【００３０】
＜請求項９記載の発明＞
請求項２〜８の何れか１項記載の発明の構成において、前記囲い体の内部には、石材やコンクリート等のブロック材が充填されてなること海藻育成囲いを構成している。
【００３１】
＜請求項１０記載の発明＞
請求項２〜９の何れか１項記載の発明の構成において、少なくとも前記囲い体並びに前記浮体配置部は移動可能である海藻育成囲いを含む藻場造成礁を構成している。
【発明の効果】
【００３２】
以上の説明から明らかなように、本発明にあっては次に列挙する効果が得られる。
【００３３】
＜請求項１記載の発明の効果＞
（１）ウニが囲い体の壁を付着し登って浮体配置部に到達し、それ以上進むと浮体に付着することになる。ウニが浮体に付着すると、わずかな浮力で浮いている浮体はウニの重さが加わることにより沈んで行き、海底に到達するか何らかの構造により海底に到達しないで止まるなどにより、ウニを藻場造成礁から離してしまうという構造を実現しているので、海流の有る無し強さに影響されることなく完全にウニが藻場造成礁に侵入するのを阻止することを実現するという効果を得ることができる。
【００３４】
（２）藻場造成礁を全部メッシュで被う形態ではなく、藻場造成礁を囲う囲い体や藻場造成礁の外壁の適宜な高さ位置に浮体配置部を設ける構成であるので、波が荒れ強い流速が生じたり、海流が強い流れとなっても、流出することがないという効果を得ることができる。
【００３５】
また、浮体配置部を設ける高さを１ｍや数十ｃｍ程度で可能とするものでもあるので、全体を金網で被うものに比べて囲い体を低コストにできる効果を得ることもできる。
【００３６】
（３）壁を登った多くのウニは、浮体に付着する前に海流により揺れ動く浮体が衝突して突き落とされてしまうという効果も得ている。
【００３７】
（４）ウニのみならず、アワビを食性とするヒトデの侵入も防止することができる。
【００３８】
＜請求項２記載の発明の効果＞
前記請求項１記載の発明と同様な効果を得ることができる。また、既存の人工藻礁や自然の場所で海藻を育成したい所に囲い体を設置して、ウニの影響を受けずに海藻を育成する、アワビの稚貝の放流を行いその育成を障害少なく図ることができるという効果を得ることができる。
【００３９】
人工藻礁を設置後にあるいは同時に囲い体を設置することもできる。
【００４０】
また、囲い体および浮体配置部を網体で形成してあるので、海流の抵抗を小さくして囲い体の低コスト化を実現し且つ損傷や流出を防止するとともに、中の藻礁に新鮮な海水を行き届かせるという効果を得ることができる。
【００４１】
＜請求項３記載の発明の効果＞
囲い体により囲まれた領域には、海藻を育成するための藻場造成礁を予め形成しておくことにより、海藻の育成をより促進させることが可能となる。
【００４２】
＜請求項４記載の発明の効果＞
浮体が該浮体に通された支持案内部材により沈み浮き移動可能に支持されているので、藻食動物が浮体に付着して沈み、藻食動物が離れた場合は支持案内部材に支持案内せれて所定の浮体配置部の位置に浮きもどるので、浮体が流出することがないという効果を得ることができる。
【００４３】
＜請求項５記載の発明の効果＞
浮体が、紐体で繋がれているので、浮体が流出してしまうことがないという効果を得ることができる。
【００４４】
＜請求項６記載の発明の効果＞
浮体が鋼製、生分解性プラスチックなどの経時で劣化等してなくなる物で形成されているので、例えば、海藻が十分な大きさの葉状に成長した期間をすぎると、環境に悪影響を与えることなく消滅してしまうので、回収コストが掛からないという効果を得ることができる。
【００４５】
＜請求項７記載の発明の効果＞
浮体配置部が藻場造成礁本体の外壁に設けてなるものであるので、低コストで流出などしないものを実現できるという効果を得ることができる。
【００４６】
＜請求項８記載の発明の効果＞
海藻捕捉用棒体に捕捉された海藻が囲い体内部へと落ちていく結果、囲い体内において育成すべき生物の飼料としてこれを活用することが可能となる。
【００４７】
＜請求項９記載の発明の効果＞
海藻捕捉用棒体に捕捉された海藻を、石材において育成すべきアワビの餌として活用することが可能となる。
【００４８】
＜請求項１０記載の発明の効果＞
請求項１記載の発明と同様の効果を得ることができる。
【発明を実施するための最良の形態】
【００４９】
以下、図面に示す発明を実施するための最良の形態を詳細に説明する。但し本発明はこれらのみに限定されるものではない。
【００５０】
＜第1の実施の形態＞
図１および図２に示す本発明を実施するための第１の実施の形態において海藻育成囲い１は次のようになっている。
【００５１】
ワカメなどの主に海藻２を育成するための藻場造成礁３が基礎１８に固定され海底に設置されている。
【００５２】
また、この藻場造成礁３を内部に形成している海藻育成囲い１は、海底に固定される場合に限定されるものではなく、海底内の任意の位置に自在に移動させることができる。ちなみに、この海藻育成囲い１において、底板が設けられていることは必須の構成要件とはならない。
【００５３】
この藻場造成礁３を囲うように、比重０.９〜１.０２の球体からなる浮体４を全周に渡って収納配置してなる浮体配置部５を有する囲い体６が基礎１８に固定され配置されている。この囲い体６は全周に渡ってメッシュ７で覆われている。
【００５４】
囲い体６の外壁に付着し、さらにその外壁を登ったウニ８は、浮体配置部５の浮体４に付着しなければそれ以上前進することができないので、浮体４に付着する。
【００５５】
ウニ８が付着した浮体４＋ウニ８は比重が海水より重くなり、ウニ８と一緒に沈んで行く。海底に到達した浮体４に付着したウニ８は浮体４から離れ、浮体４はその浮力により浮き上がり再び浮体配置部５に戻り収納される。
【００５６】
浮体４は、鋼材や生分解性プラスチックなどの経時変化により分解して消滅する、環境に悪影響を与えない素材からできている。
【００５７】
囲い体６はそれのみを製造して、既存の人工藻礁や海藻を育成したい場所に設置するなどの藻食動物侵入防止囲いとしてなるものもよい。
【００５８】
メッシュをウニが登ることはできないが、メッシュを支持する支柱などをウニが付着し登るので、このような部位に個別に浮体配置部を設け浮体を配置する部分配置も、浮体の数を少なくでき経済的で良い。
【００５９】
なお、この海藻育成囲い１において、藻場造成礁３が内部に形成されていることは必須とならない。
【００６０】
図２は、さらにこの囲い体６の内部に石材２０を入れるようにしてもよい。これにより海藻２に加えて、さらにアワビ９等の貝類をも、この海藻育成囲い１内で育成することが可能となる。
【００６１】
以下の実施の形態の説明において、前述した実施の形態の構成と同じ構成には同じ符号を付しその説明を省略する。
【００６２】
＜第２の実施の形態＞
図３に示す本発明を実施するための第２の実施の形態において前記第１の実施の形態と主に異なる点は、浮体を正四角体からなる浮体１０とし、浮体１０の通し孔（図示せず）に通された棒体や張られたワイヤなどの支持案内部材１１を設けてなる囲い体１２を形成した点にある。
【００６３】
浮体配置部１３は前方の流出防止壁を設けない構成となっている。
【００６４】
浮体１０は支持案内部材１１により沈み浮き移動可能に支持され、ウニ８が浮体１０にとりつくと支持案内部材１１に支持されながら沈み移動し、沈んだ浮体１０はウニ８が離れると自らの浮力により支持案内部材１１により支持案内されながら浮き上がり浮体配置部に戻るようになっている。
【００６５】
浮体は球体より多角体や凹面部を有すものの方がウニが吸着し易い。
【００６６】
＜第３の実施の形態＞
図４に示す本発明を実施するための第３の実施の形態において前記第１の実施の形態と主に異なる点は、浮体を変形多角体からなる浮体１５として、この浮体１５を紐１６で繋いで浮かせ状態で浮体配置部５に収納した囲い体１７を形成した点にある。
【００６７】
＜第４の実施の形態＞
次に、本発明の第４の実施の形態における海藻育成囲い２３につき説明をする。図５は、海藻育成囲い２３における側面図であり、図６は、海藻育成囲い２３における上面図である。
【００６８】
これら図５、６に示すように、海藻育成囲い２３は、互いに水平方向で交差するように配置された４本の転倒防止材２９上に張り合わされた底板３０上に構築される囲い体３６からなる。
【００６９】
この海藻育成囲い２３は、底板３０上の四隅において略鉛直方向に突設させた支柱２４と、この支柱２４の周囲において張設されたメッシュ２６により、囲い体３６を形成するとともに、略正方形状の領域からなり海藻やアワビ等を育成するための槽を囲い体３６を内部に形成する。この囲い体３６の外周側には、上述の浮体４を収納するための浮体配置部２５が形成されている。
【００７０】
なお、囲い体３６の上面２３ａには、何らメッシュ等で覆われていない開口領域が形成され、さらに底板３０には、略鉛直方向に向って延伸された１以上の棒体２７が固着され、この棒体２７は、固定金具２８によりその根本部分を固定されつつ、上記開口領域からその先端を突出させてなる。
【００７１】
棒体２７は、海流によって流れてくる海藻を捕捉するためのいわゆる海藻捕捉用棒体である。この棒体２７に捕捉された海藻は、海流の大きさや方向が変化した場合において、当該棒体２７に沿って下方へ徐々に落下してゆき、囲い体３６内へ到達することになる。即ち、この棒体２７は、海流によって流れてくる海藻を捕捉する捕捉機能と、捕捉した海藻を囲い体３６へと導く案内機能とを有することになる。なお、この棒体２７は、この図５、６に示す例において、直径１３ｍｍとし、囲い体３６の上面２３ａからその先端に至るまで４００ｍｍに亘り突出させた場合を想定しているが、これに限定されるものではなく、いかなる直径で構成してもよいし、また、先端が上面２３ａから突出するものであれば如何なる長さで構成してもよい。
【００７２】
また、この棒体２７は、この図６において、正方形状で示される領域内において５×５本で構成した場合を例に説明をしているが、これに限定されるものではなく、１本以上であればいかなる本数で構成してもよいし、また任意の縦横の比で構成される長方形状の領域において離散的に設けられていてもよい。さらに、この棒体２７は、楕円、三角、円形を構成するように集合されていてもよい。また、この棒体２７は略鉛直方向に延伸されている場合に限定されるものではなく、斜め上方に延伸されているものであってもよい。
【００７３】
また、棒２７の形状は、丸棒でも角棒でもよいが、流れてくる海藻をより捕捉しやすくるために、凹凸を形成させておくことが望ましい。また、この棒体２７として異形棒鋼を用いるようにしてもよい。
【００７４】
メッシュ２６は、その網目が少なくともウニ８が外部から囲い体３６内に侵入できないサイズに調整されるとともに、囲い体３６内におけるアワビ等の稚魚が逃げられないようなサイズに調整されており、例えば２０ｍｍ×２０ｍｍからなる網目のサイズで構成される。この囲い体３６の外周囲につきメッシュ２６を張設することにより、囲い体３６内へ海水をよりスムーズに流すことが可能となる。ちなみに、海流によって流れてきた海藻は、このメッシュ２６によっても捕捉されることになる。
【００７５】
転倒防止材２９は、海流により海藻育成囲い２３が転倒してしまうのを防止すべく配設されるものであり、例えば囲い体３６の周囲から外部へ向って長さ約４５０ｍｍに亘り延設された、断面が５０ｍｍ×５０ｍｍのサイズで構成される角柱で構成されていてもよい。
【００７６】
このような構成からなる海藻育成囲い２３において、メッシュ２６や支柱２４に付着しながら登ってくるウニ８は、上述と同様に浮体配置部２５に収納された浮体４に付着することにより、海水の比重よりも重くなることから沈んでいくことになる。ウニ８とともに下に沈んだ浮体４は、ウニ８が離れることにより海水の比重よりも軽くなり、浮力により浮き上がり、再び浮体配置部２５に収納されることになる。かかる動作が繰り返される結果、ウニ８の囲い体３６内への侵入を防止することが可能となる。ちなみに、この浮体配置部２５の裾をより広くすることにより、ウニ８が離れた浮体４がより確実に納めることが可能となる。
【００７７】
また、棒体２７に捕捉された海藻が囲い体３６内部へと案内される結果、囲い体３６内において育成すべき生物の飼料としてこれを活用することが可能となる。ちなみ、この海藻育成囲い２３では、石が充填されないことから、あくまで海藻を育成することを前提として説明しているが、海藻に限らずいかなる生物を育成してもよいことは勿論である。
【００７８】
なお、海藻育成囲い２３は、上述した実施の形態に限定されるものではなく、例えば図７に示すように囲い体３６内部に石材４１を充填させた藻場造成礁４０に適用してもよい。
【００７９】
即ち、この石材４１を充填することにより、アワビがより成育しやすい環境を作り出すことが可能となる。この石材４１に生息するアワビの稚貝は、棒体２７により捕捉された海藻を餌として摂取することができる。また、この藻場造成礁４０の囲い体３６内において、更に海藻を育成することにより、アワビの稚魚が大きくなるに連れて、かかる育成した海藻をも餌にすることが可能となる。
【００８０】
また、この石材４１を充填することにより、これが重りとして囲い体３６に作用するため、囲い体３６自身が海流により転倒し、或いは移動するのを防止することも可能となる。ちなみに、この石材４１は、図７に示すように囲い体３６内部に亘り充填されていてもよいし、囲い体３６の内郭に設けられた図示しない枠の中に充填されていてもよい。
【００８１】
なお、この石材４１の代替として、貝をコンクリートで固めた培養ユニットや、段差が設けられた棚を用いることにより、同様にアワビの稚魚を育成することが可能となる。また、アワビに限らず、牡蠣等の他の貝類を育成してもよいことは勿論である。
【産業上の利用可能性】
【００８２】
本発明は人工藻礁を製造する産業で利用される。
【図面の簡単な説明】
【００８３】
【図１】本発明の第１の実施の形態の概観図である。
【図２】本発明の第１の実施の形態の断面図である。
【図３】本発明の第２の実施の形態の部分図である。
【図４】本発明の第３の実施の形態の部分図である。
【図５】本発明の第４の実施の形態の断面図である。
【図６】本発明の第４の実施の形態の上面図である。
【図７】本発明の第４の実施の形態における他の構成例につき説明するための図である。
【符号の説明】
【００８４】
１  海藻育成囲い
２  海藻
３  藻場造成礁
４  浮体
５  浮体配置部
６  囲い体
７  メッシュ
８  ウニ
９  アワビ
１０  浮体
１１  支持案内部材
１２  囲い体
１３  浮体配置部
１５  浮体
１６  紐
１７  囲い体
１８  基礎
２３  海藻育成囲い
２４  支柱
２５  浮体配置部
２６  メッシュ
２７  棒体
２８  固定金具
２９  転倒防止材
３０  底板
３６  囲い体
【図１】
2006109727.tif 000003
【図２】
2006109727.tif 000004
【図３】
2006109727.tif 000005
【図４】
2006109727.tif 000006
【図５】
2006109727.tif 000007
【図６】
2006109727.tif 000008
【図７】
2006109727.tif 000009